(57)【要約】【課題】調整の対象となる個々の表示装置内でちらつきの自動調整を行う。【解決手段】表示装置は、例えば液晶表示装置として構成され、表示画面と、表示画面から表示光を受光する外光センサとを備える。フリッカー調整時には、導光治具などにより表示画面からの表示光が外光センサに送られる。また、フリッカー調整用の画像が表示画面に表示され、外光センサの出力に基づいて、表示光のちらつきが所定値以下となるように調整用画像のレベルが調整される。また、所定の調整終了条件が具備されたときに、調整手段による調整を終了する。この装置により、エージングが十分に行われた状態で適切なフリッカー調整を自動で行うことができる。【選択図】図３
2008176224.tif 000002
【特許請求の範囲】
【請求項１】
表示画面と、
前記表示画面から出光する表示光を受光する外光センサと、
前記表示画面に調整用画像を表示する調整用画像表示手段と、
前記外光センサの出力に基づいて、前記表示光のちらつきが所定値以下となるように前記調整用画像のレベルを変更する調整手段と、
所定の調整終了条件が具備されたときに、調整手段による調整を終了する調整終了手段と、を備えることを特徴とする表示装置。
【請求項２】
前記調整終了手段は、前記調整手段による前記調整用画像のレベル変更幅が所定幅以下となったときに調整を終了することを特徴とする請求項１に記載の表示装置。
【請求項３】
前記調整終了手段は、所定のエージング時間の経過後に調整を終了することを特徴とする請求項１に記載の表示装置。
【請求項４】
前記表示画面近傍の温度を検出する温度センサを備え、
前記調整終了手段は、前記温度センサの検出温度が所定温度に達したときに調整を終了することを特徴とする請求項１に記載の表示装置。
【請求項５】
前記調整用画像表示手段による前記調整用画像の表示開始時刻からの経過時間を前記表示画面に表示する経過時間表示手段を備えることを特徴とする請求項１乃至４のいずれか一項に記載の表示装置。
【請求項６】
表示画面と、前記表示画面から出光する表示光を受光する外光センサと、を備える表示装置のフリッカー調整方法であって、
前記表示画面に調整用画像を表示する調整用画像表示工程と、
前記外光センサの出力に基づいて、前記表示光のちらつきが所定値以下となるように前記調整用画像のレベルを変更する調整工程と、
所定の調整終了条件が具備されたときに、調整手段による調整を終了する調整終了工程と、を備えることを特徴とするフリッカー調整方法。
【請求項７】
表示画面と、前記表示画面から出光する表示光を受光する外光センサと、コンピュータと、を備える表示装置において実行されるフリッカー調整プログラムであって、
前記表示画面に調整用画像を表示する調整用画像表示手段、
前記外光センサの出力に基づいて、前記表示光のちらつきが所定値以下となるように前記調整用画像のレベルを変更する調整手段、及び、
所定の調整終了条件が具備されたときに、調整手段による調整を終了する調整終了手段、として前記コンピュータを機能させることを特徴とするフリッカー調整プログラム。
【発明の詳細な説明】
【技術分野】
【０００１】
本発明は、表示装置のフリッカー調整手法に関する。
【背景技術】
【０００２】
液晶表示装置では、液晶の劣化を防止するために、液晶表示装置の画素に印加する電圧の極性をフレーム周期などで反転させている。よって、極性反転毎に輝度が変化すると、フリッカーと呼ばれる表示のちらつきが発生する。特許文献１は、表示画像をＣＣＤカメラで撮影し、ＰＣ上で調整プログラムを動作させることによりちらつきを調整する手法を記載している。
【０００３】
【特許文献１】特開２００５−１０６４１号公報
【発明の開示】
【発明が解決しようとする課題】
【０００４】
しかし、特許文献１の手法では、ちらつきの測定を外部機器が行うため、複数の表示装置の調整を同時に並行して行うことができず、作業効率が良くない。
【０００５】
本発明が解決しようとする課題としては、上記のものが一例として挙げられる。本発明は、調整の対象となる個々の表示装置内でちらつきの自動調整を行うことを課題とする。
【課題を解決するための手段】
【０００６】
請求項１に記載の発明は、表示装置であって、表示画面と、前記表示画面から出光する表示光を受光する外光センサと、前記表示画面に調整用画像を表示する調整用画像表示手段と、前記外光センサの出力に基づいて、前記表示光のちらつきが所定値以下となるように前記調整用画像のレベルを変更する調整手段と、所定の調整終了条件が具備されたときに、調整手段による調整を終了する調整終了手段と、を備えることを特徴とする。
【０００７】
請求項６に記載の発明は、表示画面と、前記表示画面から出光する表示光を受光する外光センサと、を備える表示装置のフリッカー調整方法であって、前記表示画面に調整用画像を表示する調整用画像表示工程と、前記外光センサの出力に基づいて、前記表示光のちらつきが所定値以下となるように前記調整用画像のレベルを変更する調整工程と、所定の調整終了条件が具備されたときに、調整手段による調整を終了する調整終了工程と、を備えることを特徴とする。
【０００８】
請求項７に記載の発明は、表示画面と、前記表示画面から出光する表示光を受光する外光センサと、コンピュータと、を備える表示装置において実行されるフリッカー調整プログラムであって、前記表示画面に調整用画像を表示する調整用画像表示手段、前記外光センサの出力に基づいて、前記表示光のちらつきが所定値以下となるように前記調整用画像のレベルを変更する調整手段、及び、所定の調整終了条件が具備されたときに、調整手段による調整を終了する調整終了手段、として前記コンピュータを機能させる。
【発明を実施するための最良の形態】
【０００９】
本発明の好適な実施形態では、表示装置は、表示画面と、前記表示画面から出光する表示光を受光する外光センサと、前記表示画面に調整用画像を表示する調整用画像表示手段と、前記外光センサの出力に基づいて、前記表示光のちらつきが所定値以下となるように前記調整用画像のレベルを変更する調整手段と、所定の調整終了条件が具備されたときに、調整手段による調整を終了する調整終了手段と、を備える。
【００１０】
上記の表示装置は、例えば液晶表示装置として構成され、表示画面と、表示画面から表示光を受光する外光センサとを備える。フリッカー調整時には、導光治具などにより表示画面からの表示光が外光センサに送られる。また、フリッカー調整用の画像が表示画面に表示され、外光センサの出力に基づいて、表示光のちらつきが所定値以下となるように調整用画像のレベルが調整される。また、所定の調整終了条件が具備されたときに、調整手段による調整を終了する。この装置により、エージングが十分に行われた状態で適切なフリッカー調整を自動で行うことができる。
【００１１】
上記の表示装置の一態様では、前記調整終了手段は、前記調整手段による前記調整用画像のレベル変更幅が所定幅以下となったときに調整を終了する。他の一態様では、前記調整終了手段は、所定のエージング時間の経過後に調整を終了する。また、さらに他の一態様では、前記表示画面近傍の温度を検出する温度センサを備え、前記調整終了手段は、前記温度センサの検出温度が所定温度に達したときに調整を終了する。こうして、エージングが十分に行われた上でフリッカー調整が終了することとなる。
【００１２】
上記の表示装置の他の一態様では、前記調整用画像表示手段による前記調整用画像の表示開始時刻からの経過時間を前記表示画面に表示する経過時間表示手段を備える。これにより、作業者は調整の進行状態を一目で把握することができる。
【００１３】
本発明の他の実施形態では表示画面と、前記表示手段から出光する表示光を受光する外光センサと、を備える表示装置のフリッカー調整方法は、前記表示画面に調整用画像を表示する調整用画像表示工程と、前記外光センサの出力に基づいて、前記表示光のちらつきが所定値以下となるように前記調整用画像のレベルを変更する調整工程と、所定の調整終了条件が具備されたときに、調整手段による調整を終了する調整終了工程と、を備える。この方法により、エージングが十分に行われた状態で適切なフリッカー調整を自動で行うことができる。
【００１４】
本発明のさらに他の実施形態では、表示画面と、前記表示手段から出光する表示光を受光する外光センサと、コンピュータと、を備える表示装置において実行されるフリッカー調整プログラムは、前記表示画面に調整用画像を表示する調整用画像表示手段、前記外光センサの出力に基づいて、前記表示光のちらつきが所定値以下となるように前記調整用画像のレベルを変更する調整手段、及び、所定の調整終了条件が具備されたときに、調整手段による調整を終了する調整終了手段、として前記コンピュータを機能させる。
【００１５】
このプログラムを、表示装置のコンピュータで実行することにより、エージングが十分に行われた状態で適切なフリッカー調整を自動で行うことができる。
【実施例】
【００１６】
以下、図面を参照して本発明の好適な実施例について説明する。図１（Ａ）は本発明の実施例による液晶表示装置１の正面図であり、図１（Ｂ）はその側面図である。液晶表示装置１は、筐体２と、筐体２内にはめ込まれたＬＣＤ（液晶ディスプレイ）３と、外光センサ４と、温度センサ５とを備える。ＬＣＤ３には、その背面側にバックライト３ａが設けられており、バックライト３ａの輝度を変化させることによりＬＣＤ３に表示される画像の輝度が変化する。外光センサ４は例えばフォトセンサなどにより構成され、液晶表示装置１の通常の使用状態では、外部の明るさを検知してバックライト３ａの輝度を自動調整するために使用される。但し、以下に説明するフリッカー調整においては、外光センサ４は通常とは異なる調整用モードで使用される。温度センサ５は、例えばＬＣＤ３に実装されたチップサーミスタとすることができ、ＬＣＤ３の周囲温度を検出する。
【００１７】
液晶表示装置１は、製品としての出荷前に、フリッカー（ちらつき）調整が行われる。通常のフリッカー調整は、まず、液晶表示装置１に画像を所定時間駆動させてエージング（aging）を行い、その後、ＣＣＤカメラなどを利用して表示画像のちらつきを調整する。
【００１８】
本実施例では、導光治具を用いて、エージング及びフリッカー調整を自動で行う点に特徴を有する。図１（Ａ）及び（Ｂ）に示すように、フリッカー調整時には、導光治具１０を液晶表示装置１のＬＣＤ３の画面上に配置する。より正確には、導光治具１０は、ＬＣＤ３の中央付近の一部と、外光センサ４とを覆う位置に配置される。
【００１９】
図１（Ｂ）に示すように、導光治具１０は内部に２つのミラー１１を備え、ＬＣＤ３の画面から出射される表示光Ｌを各ミラー１１で反射して、外光センサ４へ入射させる。これにより、もともと液晶表示装置１が備える外光センサ４をフリッカー調整に使用することができ、フリッカー調整時にＣＣＤカメラなどの外部機器を用いる必要がなくなる。
【００２０】
図１（Ｃ）は、導光治具の他の例を示す。この導光治具１０ｘは、内部に光ファイバ１２を備え、ＬＣＤ３の画面から出射した表示光Ｌを、光ファイバ１２内を通過させて外光センサ４へ導く。
【００２１】
図２は、フリッカー調整に関連する液晶表示装置１の構成要素のブロック図である。図示のように、液晶表示装置１は、マイコン７により制御される。マイコン７は、ＬＣＤ３、外光センサ４及び温度センサ５に接続されている。フリッカー調整時には、マイコン７は、所定の調整用画像を信号Ｓ３としてＬＣＤ３に供給し、ＬＣＤ３に表示させる。表示された調整用画像の表示光Ｌは導光治具１０により外光センサ４に入射され、外光センサ４はその表示光Ｌの輝度に対応する検出信号Ｓ１をマイコン７に供給する。また、温度センサ５は、ＬＣＤ３の温度を検出し、検出信号Ｓ４としてマイコン７に供給する。
【００２２】
マイコン７は、ＬＣＤ３に供給する調整用画像の輝度レベルを変化させつつ、外光センサ４から出力される表示光のレベル変化を監視し、表示光Ｌのちらつきが所定値以下、好ましくは最小値となる調整用画像のレベルを決定する。なお、調整用画像のレベルを変化させるとは、具体的には、ＬＣＤ３の駆動信号のＤＣレベルを変化させることをいう。
【００２３】
図３は、調整用画像のレベル調整量と、ちらつきの程度との関係を示す図である。図３に示す各波形は、表示光Ｌのレベル変化を振幅で示している。図３に示すように、レベル調整量が小さい、即ち不足している場合には、表示光Ｌのちらつきが大きく、外光センサ４により出力される検出信号Ｓ１のレベル変化（振幅）が大きい。レベル調整量が適切である場合、表示光Ｌのちらつきは小さく、外光センサ４から出力される検出信号Ｓ１のレベル変化（振幅）は小さい。また、レベル調整量が大きすぎると、表示光Ｌの位相が反転してちらつきが再び大きくなり、外光センサ４から出力される検出信号Ｓ１の振幅は再び大きくなる。よって、マイコン７は、外光センサ４から出力される検出信号Ｓ１の振幅が所定値以下、好ましくは最小値となるように、調整用画像のレベル調整を行う。これにより、ちらつきが防止される。
【００２４】
また、上記のフリッカー調整に伴って、液晶表示装置１のエージングが行われる。エージングとは、ＬＣＤ３を所定時間駆動して画像を表示させ、液晶の流動性が十分な状態とすることをいう。マイコン７は所定の調整終了条件が具備されると、調整を終了する。このエージングは、上記のフリッカー調整と並行して行われ、フリッカー調整と同時に終了する。即ち、エージングが十分に行われている状態でちらつきが最小となるようにフリッカー調整が行われる。
【００２５】
所定の調整終了条件としては、以下の３つのいずれかを使用することができる。第１の条件は、エージング時間が所定時間に達したことである。この場合、マイコン７は、ＬＣＤ３を駆動して画像を表示してからの経過時間を計測し、所定のエージング時間に達したときにフリッカー調整を終了する。
【００２６】
第２の条件は、ＬＣＤ３が所定温度に達したことである。この場合、マイコン７は、温度センサ５から検出信号Ｓ４として出力されるＬＣＤ３の周辺温度が所定温度に達したときにＬＣＤ３が十分に暖まったとしてフリッカー調整を終了する。
【００２７】
第３の条件は、上述のフリッカー調整における調整用画像のレベル調整量が所定幅以下となったことである。これについて、図４を参照して説明する。図４は、マイコン７による調整用画像のレベル調整値の時間的推移を示すグラフであり、横軸が時間を示し、縦軸がレベル調整値を示す。フリッカー調整において、レベル調整値は最初は最適値より低い所定値に設定され、図示のように順に増加される。そして、図２及び図３を参照して説明したように、表示光Ｌのちらつきのレベルが所定値以下となるようにレベル調整量を変化させてフィードバック制御が行われる。この際、ＬＣＤ３のエージングが不十分である間は液晶の応答性が不十分であるため、レベル調整値はなかなか所定値以下に収束せず、図４に示すようにレベル調整値の変更量が大きくなる。一方、エージングが十分になると、液晶の応答性が十分になるので、レベル調整値が所定以下に収束しやすくなる。よって、マイコン７によるレベル調整量の変更幅、即ち、図４におけるΔＸの値が所定値以下となったときには、エージングが十分な状態と判断することができる。よって、第３の条件では、マイコン７はレベル調整量の変更幅ΔＸが所定値以下となったときに、エージングは十分であると判断し、フリッカー調整を終了する。
【００２８】
図５は、調整ステータス（フリッカー調整の経過時間）をＬＣＤ３上に表示した例を示す。図示のように、ＬＣＤ３の画面上に、調整開始、即ち調整用画像の表示開始からの経過時間をグラフ８として表示すれば、作業者は各液晶表示装置１のフリッカー調整の進行度合いを一目で把握することができる。
【００２９】
図６は、本実施例によるフリッカー調整のフローチャートである。この処理はマイコン７の制御により行われる。
【００３０】
まず、マイコン７は、ＬＣＤ３に調整用画像を表示する（ステップＳ１０１）。次に、マイコン７は、ＬＣＤ３の画面からの出力光Ｌのレベルを外光センサ４から取得する（ステップＳ１０２）。そして、図３を参照して説明したように、取得した出力光Ｌのレベルの振幅が所定値以下となるように、調整用画像のレベル、即ちＬＣＤ３の駆動信号のＤＣレベルを調整する（ステップＳ１０３）。こうして、調整用画像のレベル調整が完了すると、マイコン７は所定の調整終了条件が具備されたか否かを判定し（ステップＳ１０４；Ｙｅｓ）、具備されたときにフリッカー調整を終了する。
【図面の簡単な説明】
【００３１】
【図１】実施例に係る液晶表示装置の構成を示す図である。
【図２】フリッカー調整に関連する構成要素を示すブロック図である。
【図３】調整用画像のレベル調整の様子を示す図である。
【図４】調整用画像のレベル調整値の変化を示すグラフである。
【図５】調整ステータスの表示例を示す。
【図６】フリッカー調整のフローチャートである。
【符号の説明】
【００３２】
１  ナビゲーション装置
１０  自立測位装置
１８  ＧＰＳ受信機
２０  システムコントローラ
２２  ＣＰＵ
３６  データ記憶ユニット
４０  表示ユニット
６０  入力装置
【図１】
2008176224.tif 000003
【図２】
2008176224.tif 000004
【図３】
2008176224.tif 000005
【図４】
2008176224.tif 000006
【図５】
2008176224.tif 000007
【図６】
2008176224.tif 000008